(57)【要約】【課題】リモートからアクセスするユーザに対して、通常画面と簡単画面とを同一の画面として一括表示できる画像形成装置、初期設定モードの登録方法及びそのプログラムを提供する。【解決手段】ＬＡＮ１３を介して要求元ＰＣ１４とデータを送受信するための通信制御部５を備え、ジョブ設定の全ての項目を設定可能な通常画面と、一部の項目のみを設定可能な簡単画面とを表示可能で、通常画面と簡単画面とのそれぞれで独立して標準プログラムを登録可能な画像処理装置１であって、通信制御部５を用いて要求元ＰＣ１４に、通常画面と簡単画面とを同一の画面に一括表示させる要求管理部８を有し、要求元ＰＣ１４に一括表示させた画面において通常画面及び簡単画面のそれぞれの標準プログラムを登録可能である。【選択図】図１
2008152642.tif 000002
【特許請求の範囲】
【請求項１】
ネットワークを介して外部装置とデータを送受信するための通信手段を備え、ジョブ設定の全ての項目を設定可能な通常画面と、一部の項目のみを設定可能な簡単画面とを表示可能で、前記通常画面と前記簡単画面とのそれぞれで独立して初期設定モードを登録可能な画像処理装置であって、
前記通信手段を用いて前記外部装置に、前記通常画面と前記簡単画面とを同一の画面に一括表示させる手段を有し、前記外部装置に一括表示させた画面において前記通常画面及び前記簡単画面のそれぞれの前記初期設定モードを登録可能であることを特徴とする画像処理装置。
【請求項２】
前記通常画面と前記簡単画面との一括表示画面では、前記簡単画面については、設定不可の項目を編集不可形式で表示することを特徴とする請求項１記載の画像処理装置。
【請求項３】
前記通常画面及び前記簡単画面の少なくとも一方の前記初期設定モードの登録中にエラーが発生した場合には、前記初期設定モードの全ての項目を登録しないことを特徴とする請求項１又は２記載の画像処理装置。
【請求項４】
前記通常画面と前記簡単画面とを連動させるように設定可能であり、これらを連動させた場合には、前記一括表示させた画面において前記通常画面及び前記簡単画面のいずれか一方の項目が変更されると、他方の対応する項目を関連づけられた値に変更することを特徴とする請求項１から３のいずれか１項記載の画像処理装置。
【請求項５】
前記外部装置に一括表示させた画面において前記簡単画面のいずれかの項目が変更された際に、前記通常画面の対応する項目には同一の設定値がしない場合には、前記通常画面において設定可能な設定値を前記外部装置に一覧表示させ、該一覧表示された設定値のうち前記外部装置のユーザに選択された値を前記標準画面における設定値とすることを特徴とする請求項４記載の画像処理装置。
【請求項６】
前記初期設定モードの登録の過去の登録内容を履歴情報として記憶する手段を有し、過去の前記初期設定モードの登録内容を前記一括表示させた画面とは別画面で前記履歴情報を参照可能であることを特徴とする請求項１から５のいずれか１項記載の画像処理装置。
【請求項７】
前記履歴情報は、初期登録内容を除いて削除可能であることを特徴とする請求項６記載の画像処理装置。
【請求項８】
参照しようとした前記履歴情報が削除済みである場合に、その旨を示すメッセージを表示してユーザに通知することを特徴とする請求項７記載の画像処理装置。
【請求項９】
前記別画面に表示された前記履歴情報と同じ内容で、前記標準画面及び前記簡単画面に前記初期設定モードを登録可能であることを特徴とする請求項６から８のいずれか１項記載の画像処理装置。
【請求項１０】
ネットワークを介して外部装置とデータを送受信するための通信手段を備え、ジョブ設定の全ての項目を設定可能な通常画面と、一部の項目のみを設定可能な簡単画面とを表示可能で、前記通常画面と前記簡単画面とのそれぞれで独立して初期設定モードを登録可能な画像処理装置における初期設定モードの登録方法であって、
前記通信手段を用いて前記外部装置に、前記通常画面と前記簡単画面とが連動するように同一の画面に一括表示させ、
前記一括表示させた画面において前記通常画面及び前記簡単画面のいずれか一方の項目が変更されると、他方の対応する項目を関連づけられた値に変更することを特徴とする初期設定モードの登録方法。
【請求項１１】
前記外部装置に一括表示させた画面において前記簡単画面のいずれかの項目が変更された際に、前記通常画面の対応する項目には同一の設定値がしない場合には、前記通常画面において設定可能な設定値を前記外部装置に一覧表示させ、該一覧表示された設定値のうち前記外部装置のユーザに選択された値を前記標準画面における設定値とすることを特徴とする請求項１０記載の初期設定モードの登録方法。
【請求項１２】
ネットワークを介して外部装置とデータを送受信するための通信手段を備え、ジョブ設定の全ての項目を設定可能な通常画面と、一部の項目のみを設定可能な簡単画面とを表示可能で、前記通常画面と前記簡単画面とのそれぞれで独立して初期設定モードを登録可能な画像処理装置における初期設定モードの登録方法のプログラムであって、
前記画像処理装置を制御する実質的なコンピュータに、
前記通信手段を用いて前記外部装置に、前記通常画面と前記簡単画面とが連動するように同一の画面に一括表示させる処理と、
前記一括表示させた画面において前記通常画面及び前記簡単画面のいずれか一方の項目が変更された際に、他方の対応する項目を関連づけられた値に変更する処理とを実行させることを特徴とする初期設定モードの登録方法のプログラム。
【発明の詳細な説明】
【技術分野】
【０００１】
本発明は、ジョブを行うための初期設定モード（標準プログラム）を設定可能な画像処理装置及びその初期設定モードの登録方法に関する。
【背景技術】
【０００２】
近年、ジョブを行うためのモードを全て設定できる「通常画面」と、アクセシビリティを考慮し、基本的なモードのみを設定可能とする「簡単画面」とが搭載された画像処理システムが知られている。
【０００３】
「通常画面」と「簡単画面」とを切り替え表示可能な画像形成装置に関する従来技術として、特許文献１に開示される「画像形成装置の操作部」がある。
この「通常画面」と「簡単画面」とは各々の画面から、機器の起動やリセット時にデフォルトで設定されるモードを登録（標準プログラム登録）することが可能である。
【特許文献１】特開２００６−１９１３２８号公報
【発明の開示】
【発明が解決しようとする課題】
【０００４】
しかし、通常画面と簡単画面とが別々に分かれていると、標準プログラム登録を行う際に次のような問題が発生する。
【０００５】
まず、通常画面と簡単画面との標準プログラム登録を別画面で行う場合、通常画面と簡単画面との表示切り替えでタイムロスが発生し、設定に要する時間が長くなってしまう。
【０００６】
また、通常画面及び簡単画面の一方でプログラム登録を行う際、他方の標準プログラム登録内容を参照しつつ登録作業を行いたいという要求がユーザに生じると想定されるが、別画面で管理されているとこの要求に応えることは不可能である。
【０００７】
機器本体においては、文書の印刷、送信といった一連のフローの流れにおいて、そのスナップショットとして標準プログラム登録を行えることにメリットがあるため、通常画面と簡単画面とのプログラム登録を別画面で行う必要がある。
【０００８】
しかし、リモートからアクセスしているユーザにとっては、本体利用時の初期値設定という意味合いが強いため、機器本体と同様に通常画面と簡単画面とを別画面としても、機器本体と同じメリットは得られない。
【０００９】
本発明はかかる問題に鑑みてなされたものであり、リモートからアクセスするユーザに対して、通常画面と簡単画面とを同一の画面として一括表示できる画像形成装置、標準プログラム登録方法及びそのプログラムを提供することを目的とする。
【課題を解決するための手段】
【００１０】
上記目的を達成するため、本発明は、第１の態様として、ネットワークを介して外部装置とデータを送受信するための通信手段を備え、ジョブ設定の全ての項目を設定可能な通常画面と、一部の項目のみを設定可能な簡単画面とを表示可能で、通常画面と簡単画面とのそれぞれで独立して初期設定モードを登録可能な画像処理装置であって、通信手段を用いて外部装置に、通常画面と簡単画面とを同一の画面に一括表示させる手段を有し、外部装置に一括表示させた画面において通常画面及び簡単画面のそれぞれの初期設定モードを登録可能であることを特徴とする画像処理装置を提供するものである。
【００１１】
本発明の第１の態様においては、通常画面と簡単画面との一括表示画面では、簡単画面については、設定不可の項目を編集不可形式で表示することが好ましい。また、通常画面及び簡単画面の少なくとも一方の初期設定モードの登録中にエラーが発生した場合には、初期設定モードの全ての項目を登録しないことが好ましい。
【００１２】
本発明の第１の態様の上記のいずれの構成においても、通常画面と簡単画面とを連動させるように設定可能であり、これらを連動させた場合には、一括表示させた画面において通常画面及び簡単画面のいずれか一方の項目が変更されると、他方の対応する項目を関連づけられた値に変更することが好ましい。これに加えて、外部装置に一括表示させた画面において簡単画面のいずれかの項目が変更された際に、通常画面の対応する項目には同一の設定値がしない場合には、通常画面において設定可能な設定値を外部装置に一覧表示させ、該一覧表示された設定値のうち外部装置のユーザに選択された値を標準画面における設定値とすることがより好ましい。
【００１３】
本発明の第１の態様の上記のいずれの構成においても、初期設定モードの登録の過去の登録内容を履歴情報として記憶する手段を有し、過去の初期設定モードの登録内容を一括表示させた画面とは別画面で履歴情報を参照可能であることが好ましい。これに加えて、履歴情報は、初期登録内容を除いて削除可能であることがより好ましい。さらに加えて、参照しようとした履歴情報が削除済みである場合に、その旨を示すメッセージを表示してユーザに通知することがより好ましい。また、別画面に表示された履歴情報と同じ内容で、標準画面及び簡単画面に初期設定モードを登録可能であることが好ましい。
【００１４】
上記目的を達成するため、本発明は、第２の態様として、ネットワークを介して外部装置とデータを送受信するための通信手段を備え、ジョブ設定の全ての項目を設定可能な通常画面と、一部の項目のみを設定可能な簡単画面とを表示可能で、通常画面と簡単画面とのそれぞれで独立して初期設定モードを登録可能な画像処理装置における初期設定モードの登録方法であって、通信手段を用いて外部装置に、通常画面と簡単画面とが連動するように同一の画面に一括表示させ、一括表示させた画面において通常画面及び簡単画面のいずれか一方の項目が変更されると、他方の対応する項目を関連づけられた値に変更することを特徴とする初期設定モードの登録方法を提供するものである。
上記の方法においては、外部装置に一括表示させた画面において簡単画面のいずれかの項目が変更された際に、通常画面の対応する項目には同一の設定値がしない場合には、通常画面において設定可能な設定値を外部装置に一覧表示させ、該一覧表示された設定値のうち外部装置のユーザに選択された値を標準画面における設定値とすることがより好ましい。
【００１５】
また、上記目的を達成するため、本発明は、第３の態様として、ネットワークを介して外部装置とデータを送受信するための通信手段を備え、ジョブ設定の全ての項目を設定可能な通常画面と、一部の項目のみを設定可能な簡単画面とを表示可能で、通常画面と簡単画面とのそれぞれで独立して初期設定モードを登録可能な画像処理装置における初期設定モードの登録方法のプログラムであって、画像処理装置を制御する実質的なコンピュータに、通信手段を用いて外部装置に、通常画面と簡単画面とが連動するように同一の画面に一括表示させる処理と、一括表示させた画面において通常画面及び簡単画面のいずれか一方の項目が変更された際に、他方の対応する項目を関連づけられた値に変更する処理とを実行させることを特徴とする初期設定モードの登録方法のプログラムを提供するものである。
【発明の効果】
【００１６】
本発明によれば、リモートからアクセスするユーザに対して、通常画面と簡単画面とを同一の画面として一括表示できる画像形成装置、初期設定モードの登録方法及びそのプログラムを提供できる。
【発明を実施するための最良の形態】
【００１７】
〔第１の実施形態〕
本発明を好適に実施した第１の実施形態について説明する。図１に、本実施形態にかかる画像処理システムの構成を示す。この画像処理システムは、画像処理装置１と要求元ＰＣ１４とがＬＡＮ１３を介して接続された構成である。
【００１８】
画像処理装置１は、記憶装置２、ＣＰＵ３、ネットワークインタフェース（Ｉ／Ｆ）４、通信制御部５、バス６、要求管理部８、表示用データ作成部９、情報取得部１０、情報登録部１１、及び記憶装置アクセス部１２を有する。
記憶装置２は、機器の初期設定情報や標準プログラム登録情報が保存されている。ＣＰＵ３は、各装置の制御やデータの計算・加工を行う中枢部分である。ネットワークＩ／Ｆ４は、ＬＡＮ１３を介し要求元ＰＣ１４とデータの送受信を行うためのインタフェースである。通信制御部５は、ネットワーク側から各プロトコルによって受信したデータをアプリケーション７に振り分けたり、アプリケーション７からデータをネットワーク側に送信したりする際の仲介を行う。バス６は、各装置間のデータの伝送路である。要求管理部８は、通信上の複雑な処理を行っている通信制御部５の存在をアプリケーション７に対して隠蔽し、ＨＴＴＰコネクション情報の取得やＵＲＬ分配を行う。表示用データ作成部９は、ＸＳＬＴファイルを参照してユーザインタフェース（ＵＩ）に依存しないデータであるＸＭＬ文書を変換し、ＨＴＭＬ化を行う。情報取得部１０は、要求元ＰＣ１４に表示するパラメータの取得制御を行う。情報登録部１１は、要求元ＰＣ１４からの要求に応じてパラメータの登録制御を行う。記憶装置アクセス部１２は、情報取得部１０又は情報登録部１１からの要求に応じて、記憶装置２に対し標準プログラム登録情報の取得や登録を行う。
【００１９】
図２に、本実施形態にかかる画像処理システムの基本的な外部シーケンスを示す。
要求元ＰＣ１４において、Ｗｅｂブラウザを起動し、ブラウザのアドレスバーに機器本体のＩＰアドレスを指定することにより（ステップＳ１）、画像処理装置１から要求元ＰＣ１４へトップページ画面情報が送信され（ステップＳ２）、機器のトップページが表示される。トップページには機器の状態や、機器が提供する機能が表示される。ここで、設定キーを押下することにより、要求元ＰＣ１４から画像処理装置１へ設定画面表示要求が送信される（ステップＳ３）。画像処理装置１がこれに応答して設定画面情報を返信すると（ステップＳ４）、要求元ＰＣ１４の画面は設定画面に切り替わる。設定画面には、機器が提供する機能の一部である初期設定一覧が表示される。表示された初期設定一覧から標準プログラム登録キーを押下することにより、要求元ＰＣ１４から画像処理装置１へ標準プログラム登録画面表示要求が送信される（ステップＳ５）。画像処理装置１がこれに応答して標準プログラム登録画面情報を返信すると（ステップＳ６）、要求元ＰＣ１４には図３に示すような標準プログラム登録画面が表示される。この画面上でユーザは標準プログラム情報を編集した後、ＯＫキーを押下することにより、標準プログラム登録要求が実行され（ステップＳ７）、問題が無ければ画像処理装置１から設定画面情報が送信され（ステップＳ８）、要求元ＰＣ１４は設定画面を表示し、一連の標準プログラム登録処理を終了する。
なお、ステップＳ５やステップＳ７でエラーが発生した場合には、そのエラー理由に応じてエラー画面を表示する。
ここでは、スキャナアプリケーションの標準プログラム登録を例としているが、コピー、ファックス、プリンタ等の別のアプリケーションに関する標準プログラム登録の流れも同様である。
【００２０】
図４に、標準プログラム取得におけるアプリケーションの内部シーケンスを示す。
要求元ＰＣ１４から送信された標準プログラム登録画面表示要求は、中略されるネットワークＩ／Ｆ４と通信制御部５とを介し、要求管理部８にて受信される（Ｓ２１）。これを受信した要求管理部８は、情報取得部１０に対し、標準プログラム情報取得要求を送信する（Ｓ２２）。情報取得部１０は、記憶装置アクセス部１２に対し標準プログラム情報取得要求を送信する（Ｓ２３）。記憶装置アクセス部１２は標準プログラム情報を記憶装置２から取得する（Ｓ２４）。記憶装置アクセス部１２は、標準プログラム情報取得結果を情報取得部１０へ送信する（Ｓ２５）。情報取得部１０は、標準プログラム情報取得結果を要求管理部８へ出力する（Ｓ２６）。標準プログラム情報を取得した要求管理部８は、標準プログラム登録画面作成要求を表示用データ作成部９へ送信する（Ｓ２７）。表示用データ作成部９はこれに応じて標準プログラム登録画面情報を要求管理部８へ出力する（Ｓ２８）。要求管理部８は、生成されたパラメータやその他の画面表示に必要なデータを、表示用データ作成部９を介してＨＴＭＬデータへ変換し、中略されるネットワークＩ／Ｆ４と要求管理部８とを介して要求元ＰＣ１４へ送信する（Ｓ２９）。これにより、要求元ＰＣ１４に図３に示す標準プログラム登録画面が表示される。
【００２１】
図５に、標準プログラム登録におけるアプリケーションの内部シーケンスを示す。
要求元ＰＣ１４から送信された標準プログラム登録要求は、中略されるネットワークＩ／Ｆ４と通信制御部５とを介し、要求管理部８にて受信される（Ｓ３１）。これを受けた要求管理部８は情報登録部１１に対し、標準プログラム登録要求を出力する（Ｓ３２）。情報登録部１１は、標準プログラム登録要求を記憶装置アクセス部１２へ出力する（Ｓ３３）。記憶装置アクセス部１２は、記憶装置２へ標準プログラム情報を登録する（Ｓ３４）。記憶装置アクセス部１２は、標準プログラム登録結果を情報登録部１１へ出力する（Ｓ３５）。情報登録部１１は標準プログラム登録結果を要求管理部８へ出力する（Ｓ３６）。標準プログラム登録結果を通知された要求管理部８は、設定画面情報作成要求を表示用データ作成部９へ出力する（Ｓ３７）。表示用データ作成部９は、これに応じて設定画面情報を要求管理部８へ出力する（Ｓ３８）。要求管理部８は、設定画面情報を要求元ＰＣ１４へ送信する（Ｓ３９）。これにより、要求元ＰＣ１４には、プリンタ、ファックス、スキャナなどの機能や装置本体の設定、ネットワークの設定、セキュリティの設定、インタフェースの設定などの各種設定を行うための設定画面が表示される。
【００２２】
記憶装置２には、図６に示すように、通常画面と簡単画面のプログラム登録情報が独立して記憶されている。プログラム登録情報は、「項目名」と「値」とを組として構成された情報である。なお、不図示であるが、プログラム登録情報以外にも各種初期設定情報が記憶されている。初期設定項目設定不可情報の参照をするか否かも記憶装置２に記憶される。
【００２３】
記憶装置アクセス部１２は、標準プログラムＲＷ情報を有し、情報取得部１０又は情報登録部１１から設定された情報プログラムＲＷ情報の内容に基づき、記憶装置２に記憶されている通常画面と簡単画面との標準プログラム情報の取得／登録を行う。
情報取得部１０から設定される標準プログラムＲＷ情報の一例を図７に示す。
【００２４】
標準プログラムＲＷ情報に基づいて動作する記憶装置アクセス部１２の動作フローを図８に示す。
ステップＳ１０１：標準プログラムＲＷ情報の要求種別に設定される値によって、以下のように処理が分かれる。Ｒｅａｄが指定されている場合は、ステップＳ１０２へ進み記憶装置２に記憶されている標準プログラム情報の取得処理を開始する。一方、Ｗｒｉｔｅが指定されている場合は、ステップＳ１０７へ進み記憶装置２への標準プログラム登録を開始する。
ステップＳ１０２：記憶装置２に記憶されているプログラム登録情報のうちどの項目の値を取得するかを、標準プログラムＲＷ情報の各要求項目の対象の値に応じて決定する。対象の値が“ＯＮ”の場合、取得対象と見なしステップＳ１０３へ進む。一方、対象の値が“ＯＦＦ”の場合、取得対象外と見なしステップＳ１０４へ進む。
ステップＳ１０３；記憶装置２から情報を取得し、その値を要求項目の該当する項目の値としてセットする。この際にセットした値は、取得結果として情報取得部１０が参照する。
ステップＳ１０４：全ての要求項目について処理が完了したかを確認する。全ての要求項目について処理を完了したら、取得結果を情報取得部１０へ通知するためにステップＳ１０５へ進む。一方、まだ処理すべき項目が残っていれば、ステップＳ１０６へ進む。
ステップＳ１０５：処理結果に成功／失敗（理由）をセットし、要求元である情報取得部１０又は情報登録部１１へ標準プログラムＲＷ情報を通知する。図９に、情報取得部１０へ通知する標準プログラムＲＷ情報の一例を示す。図７にて要求項目の値を“ＯＮ”とした項目にのみ値がセットされている。
ステップＳ１０６：残りの項目について、ステップＳ１０２以降の処理を継続する。
ステップＳ１０７：記憶装置２に記憶されているプログラム登録情報のうちどの項目の値を登録するかは、標準プログラムＲＷ情報の各要求項目の対象の値によって決定する。対象の値が“ＯＮ”の場合、登録対象とみなしステップＳ１０８へ進む。一方、対象の値が“ＯＦＦ”の場合、登録対象外とみなしステップＳ１０９へ進む。
ステップＳ１０８：対象の値が“ＯＮ”となっている要求項目の値を記憶装置２へと書き込む。
ステップＳ１０９：全ての要求項目について処理が完了したか否かを判断する。全ての要求項目について処理が完了したら、登録結果を情報登録部１１へ通知するためにステップＳ１０５へ進む。一方、まだ処理すべき要求項目が残っていれば、ステップＳ１１０へ進む。
ステップＳ１１０：残りの項目について、ステップＳ１０７以降の処理を継続する。
【００２５】
図１０に、標準プログラム情報取得要求（図４のＳ２２）を受信した際の情報取得部１０の動作の流れを示す。
ステップＳ２０１：通常画面と簡単画面のプログラム情報を取得する前に利用準備判定を行う。判定する内容としては、「機器が他のユーザによる使用中ではないか？」や「要求元ＰＣ（ユーザ）はアクセス権を持っているか？」などが挙げられる。アクセス権は機器本体で変更される可能性があるため、随時判定する。利用準備がＯＫであると判断した場合、記憶装置アクセス部１２へプログラム情報取得を依頼するために必要なデータである標準プログラムＲＷ情報を構築するためにステップＳ２０２へ進む。一方、利用準備がＮＧであると判断した場合は、エラー（理由）を表示するためにステップＳ２０７へ進む。
ステップＳ２０２：初期化処理として全ての要求項目に「対象」として“ＯＮ”、「値」として“空（ブランク）”を設定する。ここでは値を空としているが、記憶装置アクセス部１２によって上書きされるため、“空”の値以外でも動作上問題はない。
ステップＳ２０３：機器本体の初期設定である設定不可情報の参照の値がする／しないのいずれであるかを判断する。「する」の場合には、画面表示対象と見なし、プログラム登録情報を取得するために初期化処理にて設定した“ＯＮ”、“空”のまま変更しない。「しない」の場合には、画面表示対象外と見なし、プログラム登録情報を取得しないためにステップＳ２０４へ進む。なお、設定不可項目は仕様として規定されており、例えば、簡単画面でユーザが設定できない以下の項目が該当する。
・文書蓄積
・プレビュー
・自動濃度
・ドロップアウトカラー設定
・ドロップアウトカラー色幅
ステップＳ２０４：設定不可項目に該当する要求項目について“ＯＦＦ”、“空”をセットする。ここで、値を空としているが、対象をＯＦＦとした時点で記憶装置アクセス部１２は項目自体を無視するため、空以外の値であっても動作上問題ない。
ステップＳ２０５：要求種別にＲｅａｄを指定することで、記憶装置アクセス部１２にて標準プログラム情報の取得要求であることを判断する。
ステップＳ２０６：標準プログラム情報取得要求（図４のＳ２３）として標準プログラムＲＷ情報を通知し、処理を終える。
ステップＳ２０７：エラーが発生した場合の処理であり、標準プログラム登録画面情報の処理結果に失敗（理由）を設定する。ここで設定した失敗（理由）により、エラー画面に表示されるメッセージが変化する。
ステップＳ２０８：後述する標準プログラム登録画面情報を標準プログラム情報取得結果Ｓ２６として通知し、処理を終える。
【００２６】
図１１に、標準プログラム情報取得結果（図４のＳ２５）として標準プログラムＲＷ情報を受けた場合の情報取得部１０の動作の流れを示す。なお、このフローチャートは、処理結果の一例を示したものである。
【００２７】
ステップＳ３０１：処理結果が成功であった場合には、表示用データ作成部９にて画面構築を行うために必要な情報となる標準プログラム登録画面情報の作成を開始する。標準プログラム登録画面情報の一例を図１２に示す。
ステップＳ３０２：要求項目の対象が“ＯＮ”であるか“ＯＦＦ”であるかを判断する。なお、ＯＮ／ＯＦＦの意味は以下の通りである。ＯＮ−プログラム登録情報の値がセットされている。ＯＦＦ−プログラム登録情報の値がセットされていない。
ステップＳ３０３：プログラム登録情報の値が取得できているため、それを参照し、標準プログラム登録画面情報の現在値として設定する。さらに、仕様として定められている選択肢を設定する。
ステップＳ３０４：全ての表示項目に現在値と選択肢とを設定し終えたら、ステップＳ３０５へ進み、処理対象の表示項目が残っていればステップＳ３０７へ進む。
ステップＳ３０５：処理結果として成功／失敗（理由）を設定し、要求管理部へ標準プログラム情報取得結果（図４のＳ２８）としての標準プログラム登録画面情報を通知し処理を終える。
ステップＳ３０６：プログラム登録情報の値が取得されていないため、標準プログラム登録画面情報の現在値へ無効を意味する情報をセットする。現在値が無効であれば選択肢は意味をなさないため、選択肢についても無効を意味する情報をセットする。ただし、選択肢に不適な値をセットしたとしても、表示用データ生成部９によって無視されるため、動作上は問題とはならない。
ステップＳ３０７：残りの項目についてステップＳ３０２からの処理を継続する。
【００２８】
図１３に、要求管理部経由にて標準プログラム登録画面作成要求（図５のＳ３７）としての標準プログラム登録画面情報を受け取った際の表示用データ作成部９の動作の流れを示す。
ステップＳ４０１：表示対象の項目を図１４に示すテーブルが表す位置に配置する。このテーブルは表示用データ生成部９が通常画面と簡単画面との共通項目を並べて表示させるために仕様として規定したものであり、これを適用することによって図３に示すように機器標準画面と機器簡単画面との同時表示が可能となる。
ステップＳ４０２：表示項目の現在値が無効であるか否かを判断する。無効であった場合は、画面表示対象とならないため、無視してステップＳ４０５へ進む。無効では無かった場合には、画面表示対象としてステップＳ４０３へ進む。
ステップＳ４０３：表示方法を判断するために表示項目が設定不可項目であるか否かを判断する。設定不可項目でない場合には、編集可能な項目であるとしてステップＳ４０４へ進む。設定不可項目である場合には、編集不可な項目であるとしてステップＳ４０８へ進む。
ステップＳ４０４：図１５での「原稿種類」や「解像度」のように標準プログラム登録画面の機器簡単画面においてその表示項目が編集可能形式となるように画面情報を作成する。
ステップＳ４０５：全ての表示項目について処理が完了したらステップＳ４０６へ進み、処理対象の表示項目が残っていればステップＳ４０７へ進む。
ステップＳ４０６：作成した画面情報を設定画面情報（図５のＳ３８）として管理要求部へ通知し、処理を終える。
ステップＳ４０７：残りの項目について、ステップＳ４０１からの処理を継続する。
ステップＳ４０８：図１５での「文書蓄積」や「プレビュー」のように、標準プログラム登録画面の機器簡単画面においてその表示項目が編集不可形式となるように画面情報を作成する。なお、このステップでの処理において、その表示項目を非表示とするように画面情報を作成することにより、図３に示すような標準プログラム登録画面を表示させることが可能である。
【００２９】
図１６に、標準プログラム情報登録要求（図５のＳ３２）を受けた際の情報登録部１１の動作の流れを示す。
ステップＳ５０１：通常画面と簡単画面のプログラム情報を取得する前に利用準備判定を行う。判定する内容としては、「機器が他のユーザによる使用中ではないか？」や「要求元ＰＣ（ユーザ）はアクセス権を持っているか？」などが挙げられる。アクセス権は機器本体で変更される可能性があるため、随時判定する。利用準備がＯＫであると判断した場合、記憶装置アクセス部１２へプログラム情報取得を依頼するために必要なデータである標準プログラムＲＷ情報を構築するためにステップＳ５０２へ進む。一方、利用準備がＮＧであると判断した場合は、エラー（理由）を表示するためにステップＳ５０９へ進む。
ステップＳ５０２：処理対象項目が設定不可項目であるか否かを判断する。設定不可項目の場合、設定不可項目の値を登録しないようにするためにステップＳ５０７へ進む。設定不可項目ではない場合、プログラム登録対象としてステップＳ５０３へ進む。
ステップＳ５０３：通知された情報に不正な値がセットされていないかチェックする。不正な値がある場合は、登録処理を中止してステップＳ５０９へ進む。不正な値が無い場合は、登録可能であるためステップＳＳ５０４へ進む。これにより通常画面及び簡単画面のいずれか一方に不正な値がセットされていたら登録処理が中止されることとなる。
ステップＳ５０４：登録可能なパラメータとして標準プログラムＲＷ情報の要求項目に対象としてＯＮ、値としてユーザによって入力された値をセットする。
ステップＳ５０５：全ての要求項目へ設定が完了していればステップＳ５０６へ進み、処理対象の表示項目が残っていればステップＳ５０８へ進む。
ステップＳ５０６：要求種別としてＷｒｉｔｅをセットすることにより、記憶装置アクセス部はプログラム登録処理を行う。
ステップＳ５０７：標準プログラムＲＷ情報の要求項目に「対象」としてＯＮ、「値」として画面から入力された値をセットする。
ステップＳ５０８：残りの項目について、ステップＳ５０２からの処理を継続する。
ステップＳ５０９：エラーが発生した場合の処理であり、標準プログラム登録画面情報の処理結果に失敗（理由）を設定する。ここで設定した失敗（理由）により、エラー画面に表示されるメッセージが変化する。
ステップＳ５１０：後述する標準プログラム登録画面情報を標準プログラム情報登録結果（図５のＳ３６）として通知し、処理を終える。
【００３０】
このように、本実施形態にかかる画像処理システムは、機器標準画面と機器簡単画面とを同一の画面に表示することが可能である。
【００３１】
〔第２の実施形態〕
リモートからアクセスしているユーザに対しては、第１の実施形態のように「標準画面」と「簡単画面」との標準プログラム登録を同一画面に表示することで使い勝手を向上させることが可能である。
【００３２】
しかし、リモートからアクセスしているユーザが「標準画面」と「簡単画面」との標準プログラム登録を同一画面に表示させる状況においては、標準プログラム登録を行う際に以下の課題が発生すると考えられる。
【００３３】
ユーザが「通常画面」の設定を変更したとき「簡単画面」もそれに合わせて設定したい場合には、ユーザが手動で「簡単画面」の設定を変更する必要があり、余計な手間や時間がかかる。
【００３４】
また、「簡単画面」の設定を変更したとき「通常画面」もそれに合わせて設定したい場合にも、ユーザが手動で「通常画面」の設定を変更する必要があり、余計な手間や時間がかかる。
【００３５】
本実施形態においては、このような問題を解決する画像処理システムを提供する。
【００３６】
本実施形態にかかる画像処理システムの構成を図１７に示す。第１の実施形態と同様に、画像処理装置１と要求元ＰＣ１４とがＬＡＮ１３を介して接続された構成である。画像処理装置１は、第１の実施形態と同様である。
【００３７】
要求元ＰＣ１４は、記憶装置１５、ＣＰＵ１６、ネットワークＩ／Ｆ１７、通信制御部１８、バス１９、要求管理部２１、表示画面作成部２２、情報取得部２３、情報登録部２４、及び記憶装置アクセス部２５を有する。
記憶装置１５は、表示画面生成に必要な情報や通常画面と簡単画面との項目別関連づけ対応表などが保存されている。ＣＰＵ１６は、各装置の制御やデータの計算・加工を行う中枢部分である。ネットワークＩ／Ｆ１７は、ＬＡＮ１３を介し画像処理装置１とデータの送受信を行う。通信制御部１８は、ネットワーク側から各プロトコルによって受信したデータをアプリケーション２０に振り分けたり、アプリケーション２０からデータをネットワーク側へ送信したりする際の仲介を行う。バス１９は、各装置間のデータの伝送路である。要求管理部２１は、通信上の複雑な処理を行っている通信制御部１８の存在をアプリケーション２０に対し隠蔽し、ＨＴＴＰコネクション情報の取得や宇ＵＲＬ分配を行う。表示画面作成部２２は、画像処理装置１から伝送されてきたＨＴＭＬ文書を元に表示する画面を作成する。情報取得部２３は、表示画面作成に必要なパラメータの取得制御を行う。情報登録部２４は、画像処理装置１からの要求に応じて、パラメータの登録制御を行う。記憶装置アクセス部２５は、情報取得部２３や情報登録部２４からの要求に応じて、記憶装置１５に対し表示画面作成に必要な情報の取得や登録を行う。
【００３８】
〔１対１で対応する場合〕
図１８に示す標準プログラム登録画面、図１９に示すフローチャート及び図２０に示す１対１連動設定処理例を用いて、本実施形態にかかる画像処理システムの動作をより詳細に説明する。
図１８に示す「機器通常画面と機器簡単画面の設定を連動させる」欄１０５にチェックボックスが付けられている場合は、図１９に示すフローチャートに従って連動処理が行われる。まず、ユーザによって設定が更新された画面は機器通常画面であるか、機器簡単画面であるかを判断する（ステップＳ１２１）。ユーザによって機器通常画面の設定が変更された場合には、それに連動して機器簡単画面の設定を変更する（ステップＳ１２２）。また、ユーザによって機器簡単画面の設定が変更された場合には、それに連動して機器通常画面の設定を変更する（ステップＳ１２３）。
連動設定の具体的な処理の内容を図２０に示す。まず、ユーザが機器通常画面の解像度を１００ｄｐｉから２００ｄｐｉへと手動で変更した場合、機器簡単画面の解像度を１００ｄｐｉ（又は、それ以外の値）から２００ｄｐｉへと変更する。
次に、ユーザが機器簡単画面の設定を変更した場合に、それに連動して機器通常画面の設定を変更する処理について説明する。例えば、ユーザが機器簡単画面の優先ファイル形式をシングルページ：ＰＤＦからマルチページ：ＰＤＦへと手動で変更した場合、機器通常画面の優先ファイル形式をシングルページ：ＰＤＦから（又は、これ以外の設定から）マルチページ：ＰＤＦへと変更する。
機器通常画面と機器簡単画面の設定値の一覧表と対応を示す情報は、画像処理装置１から要求元ＰＣ１４へ送られて要求元ＰＣ１４の記憶装置１５に格納され、必要に応じて使用される。また、標準プログラム登録画面における各項目の設定値も要求元ＰＣ１４の記憶装置１５に格納され、その情報を基に画面表示を行う。この場合、機器通常画面の各項目に設定された値を表す情報と、機器簡単画面の各項目に設定された値を表す情報とは、それぞれ別個に記憶装置に格納される。
【００３９】
このように、機器通常画面と機器簡単画面の標準プログラムを連動させる設定とすることにより、ユーザが機器通常画面及び機器簡単画面のいずれかの設定を変更した場合に、それに合わせて他方の設定を手動で変更する必要が無くなり、ユーザの労力を低減できる。
【００４０】
〔第３の実施形態〕
同一の項目名であっても、通常画面と簡単画面とで選択肢が異なり同一の設定値が存在しない場合は、ユーザが通常画面及び簡単画面のいずれかの設定を変更した場合に、それに連動して他方の設定を同一の設定値とすることはできない。
本実施形態においては、このような問題を解決する画像処理システムについて説明する。
【００４１】
〔同一の設定が存在しない場合所定の設定〕
機器通常画面と機器簡単画面とで選択肢が異なり、同一の値が存在しない場合の処理について説明する。
標準プログラム登録画面における読み取り条件の原稿種類を例とする。機器通常画面の原稿種類の欄１０６で設定可能な値と、機器簡単画面の原稿種類の欄１０７で設定可能な値とを比較したものを図２１に示す。図２１に示されるように、原稿種類に関しては機器通常画面で設定可能な値の個数と比べて機器簡単画面で設定可能な値の個数が少なくなっている。この時、機器通常画面と機器簡単画面の設定を連動させる欄１０５にチェックボックスが付けられている場合は、図２２に示すフローチャートに従って連動処理が行われる。
まず、ユーザによって設定が変更された画面は、機器通常画面であるか機器簡単画面であるかを判断する（ステップＳ１２８）。ユーザによって機器通常画面の設定が変更された場合は、それに連動して機器簡単画面の設定を機器通常画面で変更された設定に対応する適切な値に変更する必要があるか否かを判断する（ステップＳ１２９）。機器簡単画面の設定を機器通常画面で変更された設定に対応する値に設定する必要がある場合は、機器通常画面で変更された設定に対応する適切な値に機器簡単画面の設定値を変更する（ステップＳ１３０）。また、ユーザによって機器簡単画面の設定が変更された場合は、それに連動して機器通常画面の設定を機器簡単画面で変更された設定に対応する適切な値に設定する必要があるか否かを判断する（ステップＳ１３１）。機器通常画面の設定を機器簡単画面で変更された設定に対応する適切な値に変更する必要がある場合には、機器簡単画面で変更された設定に対応する適切な値に機器通常画面の設定値を変更する（ステップＳ１３２）。
連動設定の処理について、具体例を挙げて説明する。
【００４２】
まず、ユーザが機器通常画面の設定を変更した場合に、それに連動して機器簡単画面の設定を適切な値に変更する動作について説明する。ここで、ユーザが機器通常画面の原稿種類を「白黒：文字」、「白黒：文字・図表」、「白黒：文字・写真」、「白黒：写真」、「グレースケール」のいずれかに設定した場合は、機器簡単画面の原稿種類を「白黒原稿」へと変更する。また、ユーザが機器通常画面の原稿種類を「フルカラー：文字・写真」、「フルカラー：印画紙写真」のいずれかに設定した場合には、機器簡単画面の原稿種類を「フルカラー原稿」へと変更する。さらに、ユーザが機器通常画面の原稿種類を「自動カラー選択」に設定した場合、機器簡単画面での原稿種類を「自動カラー選択」へと変更する。
【００４３】
次に、ユーザが機器簡単画面の設定を変更した場合にそれに連動して機器通常画面の設定を適切な値へ変更する動作について説明する。ユーザが機器簡単画面の原稿種類を「白黒原稿」に設定した場合は、機器通常画面の原稿種類を「白黒：文字・図表」へと変更する。また、ユーザが機器簡単画面の原稿種類を「フルカラー原稿」に設定した場合には、機器標準画面の原稿種類を「フルカラー：文字・写真」へと変更する。さらに、ユーザが機器簡単画面の原稿種類を「自動カラー選択」に設定した場合、機器通常画面の原稿種類を「自動カラー選択」へと変更する。
【００４４】
機器通常画面と機器簡単画面との設定値の一覧表、機器通常画面の設定値と関連付けられる機器簡単画面の設定値を示す対応情報、機器簡単画面の設定値と関連づけられる機器通常画面の設定値を示す対応情報は、画像処理装置１から要求元ＰＣ１４へと送られ、要求元ＰＣ１４の記憶装置１５に対応テーブルの形式で格納され、必要に応じて参照・使用される。
なお、機器通常画面では表示されているが、機器簡単画面では表示されていない設定項目（例えば、機器通常画面の「文書蓄積」や「プレビュー」）に関しては、機器通常画面でユーザによって設定が変更された場合でも、機器簡単画面における同項目の設定値は固定となって、機器通常画面の設定値と連動しての変更はさせない。
【００４５】
このように、機器通常画面や機器簡単画面の設定値の中に、他方には存在しない選択肢が含まれる場合には、機器通常画面における設定値と機器簡単画面における設定値との関連づけを予め定義しておくことで、ユーザが機器通常画面及び機器簡単画面のいずれかの設定を変更した場合に、それに合わせて他方の設定を手動で変更する必要が無くなり、ユーザの労力を低減できる。
【００４６】
〔第４の実施形態〕
上記第３の実施形態のように、通常画面と簡単画面とを同一画面に表示して、通常画面と簡単画面との設定値を関連づけて連動させる場合に、同じ項目について簡単画面には一つ、通常画面には五つの選択肢があるとする。この時、簡単画面の設定値と関連付けられる通常画面の設定値は、五つの選択肢のうちの一つとなる。このため、ユーザが通常画面には簡単画面の設定と関連づけられたものとは異なる値を設定しようとすると、簡単画面の設定に連動して通常画面の設定値が変わるたびに、通常画面の設定をユーザが手動で変更する必要がある。
【００４７】
本実施形態では、このような問題を解決する画像処理システムについて説明する。
【００４８】
［ポップアップメニューによる選択動作］
機器通常画面と機器簡単画面の設定を連動させるにチェックボックスが付けられており、同一項目名であっても機器通常画面と機器簡単画面とで選択肢が異なり同一の値が存在しない場合、ユーザが機器簡単画面で選択した値に関連付けられた機器通常画面の選択肢をポップアップメニューで表示し、ユーザによって選択された値を機器通常画面に設定する処理について説明する。図２３にこの処理の流れを示す。
ユーザが機器簡単画面の原稿種類で「白黒画面」を選択すると、図２４に示すように原稿種類「白黒画面」に関連づけられた機器通常画面の選択肢をポップアップメニューで表示する（ステップＳ１３３）。ここで、ユーザがポップアップメニューから「白黒：文字・写真」を選択すると（ステップＳ１３４）、機器通常画面の原稿種類に「白黒：文字・写真」を設定する（ステップＳ１３５）。
【００４９】
このように、ユーザが簡単画面の設定を変更した場合に、その項目で通常画面に設定できる複数の選択肢を表示することにより、簡単画面と関連付けられている値とは異なる値を通常画面に設定したい場合に、連動して変更された値から所望の値へ設定するためにユーザが要する時間や労力を低減できる。
【００５０】
［過去の登録内容を参照する場合の動作］
次に、参照ボタン１０２が押下された場合に、指定された過去の標準プログラム登録内容を別ウィンドウに表示する場合の処理について説明する。
ユーザが参照したい過去の標準プログラム登録内容を「過去の登録内容」プルダウンメニューから選択する。ここでは、参照した過去の標準プログラム登録内容として「工場出荷値」が選択されている。ユーザが参照ボタン１０２を押下すると、図２５に示すフローチャートに従って過去の標準プログラム登録内容参照処理が行われる。まず、ユーザによって指定された過去の標準プログラム登録内容が本体から読み出される（ステップＳ１４１）。次に、読み出された過去の標準プログラムに登録内容ボタンを別ウィンドウに表示する（ステップＳ１４２）。過去の標準プログラムの登録内容の表示例を図１３に示す。
【００５１】
このように、過去の標準プログラム登録の内容を表示することにより、ユーザがその内容を参照しながら標準プログラム登録の設定作業を行える。これにより、過去に設定したことのある内容と同様の設定を行いたい場合の労力が軽減される。
【００５２】
削除ボタン１０３が押下された場合に、指定された過去の標準プログラム登録内容を削除する場合の処理について説明する。図２６に、この処理の流れを示す。まず、ユーザが削除したい過去の標準プログラム登録内容を「過去の登録内容」プルダウンメニューから選択する。この時、「過去の登録内容」プルダウンメニューで「工場出荷値」が選択されている場合には、「削除」ボタンをディセーブルとして押下できない状態とし、「工場出荷値」は削除できないようにする。「過去の登録内容」プルダウンメニューで「工場出荷値」以外が選択されている場合には、「削除」ボタンを押下できる状態とし、ユーザが削除ボタンを押下すると、図２６に示すフローチャートに従って過去の標準プログラム登録内容削除処理が行われる。すなわち、ユーザによって指定された過去の標準プログラム登録内容が本体から削除される（ステップＳ１４３）。
【００５３】
このように、過去の登録内容のうち不要なものを削除できるようにすることで、過去の登録内容の中から所望の登録内容を探す作業をユーザが行いやすくなる。
【００５４】
［過去の登録内容を参照して現在の設定を行う場合の動作］
設定ボタン１０４が押下された場合に、指定された過去の標準プログラム登録内容を参照しながら現在の標準プログラム登録内容へ自動的に設定を行う場合の処理について、図２７に示すフローチャートを用いて説明する。過去の登録内容プルダウンメニュー１０１において「工場出荷値」が選択されていて、ユーザが参照ボタン１０２を押下して別ウィンドウに工場出荷値の登録内容を表示している場合を例とする。この時、ユーザが設定ボタン１０４を押下すると、別ウィンドウに表示されている工場出荷値の登録内容を標準プログラム登録内容として設定する処理を行う。まず、ユーザによって指定され別ウィンドウで表示されている過去の標準プログラム登録内容が本体から読み出され（ステップＳ１４４）、読み出された過去の標準プログラム登録内容を現在の標準プログラム登録内容として設定する（ステップＳ１４５）。
【００５５】
このように、過去の登録内容と同一の内容を現在の登録内容として設定可能とすることにより、過去の登録内容と同一の設定を行う際に入力ミス等による誤設定が発生する可能性を無くすことが可能となる。
【００５６】
［参照した過去の設定が削除済みの場合の動作］
参照した過去の設定が削除済みである場合に対応した処理の流れを図２８に示す。
ユーザが過去の登録内容プルダウンメニューで過去の標準プログラム登録内容を選択し、参照ボタン１０２、削除ボタン１０３、設定ボタン１０４の何れかを押下した場合、ユーザによって選択された過去の標準プログラム登録内容が他のユーザによって削除されていた場合の処理について説明する。ユーザが参照・削除・設定したい過去の標準プログラム登録内容を過去の登録内容プルダウンメニュー１０１から選択し、参照ボタン１０２、削除ボタン１０３又は設定ボタン１０４のいずれかを押下した際に、ユーザによって選択された過去の標準プログラム登録内容が存在しない場合には（ステップＳ１４６／Ｎｏ）、エラー画面を表示する（ステップＳ１４７）。一方、ユーザによって選択された過去の標準プログラム登録内容が存在する場合は、既に説明したように選択された過去の標準プログラム登録内容の参照処理（ステップＳ１４９、Ｓ１５０）、削除処理（ステップＳ１５１）又は設定処理（ステップＳ１５２）を実行する。
【００５７】
このように、ユーザが過去の登録内容の参照・削除・設定を要求した際に、該当する過去の登録内容が他のユーザによって既に削除されていた場合には、メッセージを表示してその旨をユーザに知らせることにより、過去の登録内容に対して要求した操作を行えないことをユーザに通知できる。
【００５８】
なお、上記各実施形態は本発明の好適な実施の一例であり、本発明はこれらに限定されることなく、様々な変形が可能である。
【図面の簡単な説明】
【００５９】
【図１】本発明を好適に実施した第１の実施形態にかかる画像処理システムの構成を示す図である。
【図２】画像処理システムの外部シーケンスを示す図である。
【図３】標準プログラム登録画面の一例を示す図である。
【図４】標準プログラム取得におけるアプリケーションの内部シーケンスを示す図である。
【図５】標準プログラム登録におけるアプリケーションの内部シーケンスを示す図である。
【図６】プログラム登録情報の一例を示す図である。
【図７】標準プログラムＲＷ情報の一例を示す図である。
【図８】記憶装置アクセス部の動作の流れを示すフローチャートである。
【図９】記憶装置から読み出された値がセットされた標準プログラムＲＷ情報の一例を示す図である。
【図１０】標準プログラム情報取得要求を受信した際の情報取得部の動作の流れを示すフローチャートである。
【図１１】標準プログラム情報取得結果として標準プログラムＲＷ情報を受けた場合の情報取得部の動作の流れを示すフローチャートである。
【図１２】標準プログラム登録画面情報の一例を示す図である。
【図１３】要求管理部経由にて標準プログラム登録画面作成要求としての標準プログラム登録画面情報を受け取った際の表示用データ作成部の動作の流れを示すフローチャートである。
【図１４】機器通常画面と機器簡単画面との関係を示すテーブルである。
【図１５】標準プログラム登録画面の一例を示す図である。
【図１６】標準プログラム情報登録要求を受けた際の情報登録部の動作の流れを示すフローチャートである。
【図１７】本発明を好適に実施した第２の実施形態にかかる画像処理システムの構成を示す図である。
【図１８】標準プログラム登録画面の一例を示す図である。
【図１９】第２の実施形態にかかる画像処理システムの動作の流れを示す図である。
【図２０】１対１連動設定処理例を示す図である。
【図２１】機器通常画面の原稿種類の欄で設定可能な値と、機器簡単画面の原稿種類の欄で設定可能な値とを比較して示す図である。
【図２２】機器通常画面と機器簡単画面との連動処理の流れを示すフローチャートである。
【図２３】ユーザが機器簡単画面で選択した値に関連付けられた機器通常画面の選択肢をポップアップメニューで表示し、ユーザによって選択された値を機器通常画面に設定する処理の流れを示すフローチャートである。
【図２４】ポップアップメニューの一例を示す図である。
【図２５】過去の標準プログラム登録内容参照処理の流れを示すフローチャートである。
【図２６】指定された過去の標準プログラム登録内容を削除する処理の流れを示すフローチャートである。
【図２７】指定された過去の標準プログラム登録内容を参照しながら現在の標準プログラム登録内容へ自動的に設定を行う場合の処理の流れを示すフローチャートである。
【図２８】参照した過去の設定が削除済みである場合に対応した処理の流れを示すフローチャートである。
【符号の説明】
【００６０】
１    画像処理装置
２、１５    記憶装置
３、１６    ＣＰＵ
４、１７    ネットワークＩ／Ｆ
５、１８    通信制御部
６、１９    バス
７、２０    アプリケーション
８、２１    要求管理部
９、２２    表示用データ作成部
１０、２３    情報取得部
１１、２４    情報登録部
１２、２５    記憶装置アクセス部
１３    ＬＡＮ
１４    要求元ＰＣ
１０１    過去の登録内容プルダウンメニュー
１０２    参照ボタン
１０３    削除ボタン
１０４    設定ボタン
１０５    機器通常画面と機器簡単画面の設定を連動させる欄
１０６    機器通常画面原稿種類欄
１０７    機器簡単画面原稿種類欄
１０８    機器通常画面解像度欄
１０９    機器簡単画面解像度欄
１１０    機器通常画面優先ファイル形式欄
１１１    機器簡単画面優先ファイル形式欄
【図１】
2008152642.tif 000003
【図２】
2008152642.tif 000004
【図３】
2008152642.tif 000005
【図４】
2008152642.tif 000006
【図５】
2008152642.tif 000007
【図６】
2008152642.tif 000008
【図７】
2008152642.tif 000009
【図８】
2008152642.tif 000010
【図９】
2008152642.tif 000011
【図１０】
2008152642.tif 000012
【図１１】
2008152642.tif 000013
【図１２】
2008152642.tif 000014
【図１３】
2008152642.tif 000015
【図１４】
2008152642.tif 000016
【図１５】
2008152642.tif 000017
【図１６】
2008152642.tif 000018
【図１７】
2008152642.tif 000019
【図１８】
2008152642.tif 000020
【図１９】
2008152642.tif 000021
【図２０】
2008152642.tif 000022
【図２１】
2008152642.tif 000023
【図２２】
2008152642.tif 000024
【図２３】
2008152642.tif 000025
【図２４】
2008152642.tif 000026
【図２５】
2008152642.tif 000027
【図２６】
2008152642.tif 000028
【図２７】
2008152642.tif 000029
【図２８】
2008152642.tif 000030